(57)【特許請求の範囲】
【請求項１】
液体芳香剤を収容し、底面に流出開口(11、61)を備えた容器本体(100、300)と、
浸透材(40、80)を保持して容器本体(100、300)の底面側にねじ係合または弾性係合し、容器本体に対して、相対的に接近した閉位置および相対的に離れた開位置に選択的に位置することができる浸透材保持部材(200、400)と、を備えた芳香剤容器であって、
上記閉位置においては、浸透材保持部材(200、400)が容器本体(100、300)に接近することで、当該浸透材保持部材に設けた突起(24、74)が、容器本体底面の流出開口(11、61)に入り込み同開口を塞いで、芳香剤の流出を禁止し、
上記開位置においては、浸透材保持部材(200、400)が容器本体(100、300)から離れることで、当該浸透材保持部材に設けた突起(24、74)が、容器本体底面の流出開口(11、61)から外れて、当該開口からの芳香剤の流出を許容し、
浸透材保持部材が開位置にあるとき、流出開口から流出した芳香剤が浸透材(40、80)に吸収され、当該浸透材から発散することで芳香効果を発揮することを特徴とする、芳香剤容器。
【請求項２】
上記流出開口(11、61)から流出した芳香剤は、吸液芯(41、81)を介して浸透材に導かれることを特徴とする、請求項１記載の芳香剤容器。
【発明の詳細な説明】
【０００１】
【発明の属する技術分野】
本発明は、液状の芳香剤を入れた状態で販売され、室内に設置される芳香剤容器に関する。
【０００２】
【従来の技術および発明が解決しようとする課題】
従来よりこの種の芳香剤容器が多数提案されているが、それらの一般的な使用方法は、次の通りである。すなわち、消費者は芳香剤容器を購入した後、まず容器本体から傘状蓋部材を外して中栓をとる(この中栓は、そのまま廃棄される)。そして、中栓が除去された容器本体に傘状蓋部材を再度装着する。この状態で、芳香剤容器を室内に設置しておくことで芳香効果が得られる。
【０００３】
中栓を除去することで、容器本体内の芳香剤液と傘状蓋部材とが連通される。すなわち、傘状蓋部材は浸透性マットを有しており、吸液芯を利用する等して容器本体内の芳香剤液を、傘状蓋部材の浸透性マットに導くことができる。浸透性マットから芳香剤が室内に発散して芳香効果を与える。
【０００４】
上述のようにして使用される芳香剤容器には、次のような問題がある。すなわち、中栓が廃棄されてしまうので、ゴミの発生量が増え、資源の無駄である。さらには、購入してから、室内にセットして芳香効果を得るに至るまでの手間が多い。
【０００５】
上記従来技術の現状に鑑み、本発明は、無駄に廃棄される中栓を必要とせず、また、購入後室内にセットするまでの操作が簡便である芳香剤容器を提供することを目的としている。
【０００６】
【課題を解決するための手段・作用・効果】
本発明は、上記課題を有効に解決するために創案されたものであって、以下の特徴を備えた芳香剤容器を提供するものである。
【０００７】
本発明の芳香剤容器は、「液体芳香剤を収容し、底面に流出開口を備えた容器本体」と「浸透材を保持して容器本体の底面側に係合し、容器本体に対して、閉位置および開位置に選択的に位置することができる浸透材保持部材」とを備えている。浸透材保持部材が閉位置にあるときは、浸透材保持部材に設けた突起が、容器本体底面の流出開口を塞いで、芳香剤の流出を禁止する。一方、開位置においては、浸透材保持部材に設けた突起が、容器本体底面の流出開口から外れて、当該開口からの芳香剤の流出を許容する。このとき、流出開口から流出した芳香剤が浸透材に吸収され、当該浸透材から発散することで芳香効果が発揮される。
【０００８】
上記構成を有する本発明の芳香剤容器においては、店頭陳列時や輸送時には、浸透材保持部材を閉位置にしておくことで、液体芳香剤の発散が防止される。一方、使用時には、閉位置にある浸透材保持部材を開位置へと移動させるだけで、容器本体に形成した流出開口が開かれ、重力により液体芳香剤が流出開口から流出する。流出した芳香剤は、浸透材に浸透して発散し、これにより、芳香効果が発揮される。
【０００９】
したがって、輸送時等において、一時的に液体芳香剤の流出を防止するための中栓が不要となり、資源の無駄を省くことができる。また、容器本体の底部にねじ係合させた設置基台で浸透材保持部材を構成した場合には、購入した後、ワンタッチで室内設置までを完了することができ、取扱いに便利である。
【００１０】
【発明の実施の形態】
本発明の実施形態を添付の図面を参照して以下に詳細に説明する。図１および図２は、本発明の第１実施形態に係る芳香剤容器を示す説明図であって、要部の部分拡大図を併せて示している。芳香剤容器は、液体芳香剤を収容した容器本体100と、容器本体100の底部にねじ係合する設置基台200と、を備えている。
【００１１】
容器本体100(図３、図４)
図３は、液体芳香剤を収容する容器本体100を示している。容器本体100は下方側の円筒壁101の外周面にネジ部101ａを有しており、円筒壁101の下端に蓋材10が挿入固定されている。図４は、蓋材10を固定した状態における、円筒壁101部分の縦断面図を示している(左側の壁部の図示は省略している)。蓋材10は、容器本体100の円筒壁101に内挿し固着されている。
【００１２】
蓋材10の中央には開口11が形成されていて、これが、液体流出口として機能する。後述するように、設置基台200が閉位置にあるとき当該開口11は閉じられ、設置基台200が開位置にあるとき当該開口11が開かれる。
【００１３】
設置基台200(図５〜図７)
設置基台200は、図５に示したカップ状の外殻201に、図６に示したディスク状部材20をはめ込み嵌合で固定してなる。図５(ａ)はカップ状外殻201の平面図を、図５(ｂ)はその正面半断面図を、それぞれ示している。図６(ａ)はディスク状部材20の平面図を、図６(ｂ)はその縦断面図図を、それぞれ示している。カップ状外殻201はその内周面に等間隔で立設された突部202を有している。これらの突部202にはディスク状部材20の周縁に形成された切欠20ａが係合し、したがって、外殻201とディスク状部材20とは相対回転が禁止され、両者は一体となって回転する。ディスク状部材20は中央に凹部21を有しており、その内部に、上記流出開口11の開閉を行なう突起24が設けられている。図７は、ディスク状部材の凹部21を説明する拡大断面図である。
【００１４】
凹部21は、円筒壁26および底壁27で構成され、底壁27の中央には、同心状に配置された２つの円筒部22および23が立設されている。大径の円筒部23の上端は開口している。小径の円筒部22の上端には、４本のアーム25ａを有する十字部材を介して突起24が立設されている。十字部材の各アーム25ａ間には、流体連通口25が形成されている。
【００１５】
図１および図２に示したように、カップ状の外殻201の内部には浸透材としてのフェルト材40が敷かれていて、フェルト材40の中央には、円筒状の吸液芯41が立設されている。吸液芯41は、その先端が円筒部22の内周側空間29に挿入されていて、突起24の底面の位置にまで達している(図７参照)。
【００１６】
容器本体100と設置基台200とのねじ係合
ディスク状部材20においては、凹部21の円筒壁26の内周面に、ネジ部26ａが形成されている。容器本体100の円筒壁101の外周面に形成されたネジ部101ａを凹部21のネジ部26ａに螺合させることで、容器本体100と設置基台200とは、相対回転可能に連結される。設置基台200は、容器本体100に対して相対回転することで、次に説明する閉位置(図１)と開位置(図２)との間を移動することができる。
【００１７】
閉位置(図１)
図１は、設置基台200が閉位置にある状態を示している。閉位置においては、設置基台200に設けた突起24が、容器本体100の底面に形成した流出開口11を塞いでいる。したがって、容器本体100内の液体芳香剤は、容器本体100内に閉じ込められたままであって、外部に流出することはできない。製造後の輸送時および店頭陳列時等、消費者が実際に芳香剤容器を使用する以前の段階では、設置基台200は、この閉位置で固定されている。
【００１８】
開位置(図２)
図２は、設置基台200が開位置にある状態を示している。開位置においては、設置基台200に設けた突起24が容器本体100の流出開口11から外れており、重力によって、液体芳香剤が流出開口から流出する。流出した液体芳香剤は、十字状部材のアーム25ａ間の開口25を通過して、吸液芯41を通過し、フェルト材40に吸収される。液体芳香剤は、フェルト材40から室内に発散することで芳香効果を提供する。
【００１９】
以上の説明から分かるように、本発明の芳香剤容器においては、容器の上部に液体芳香剤を収容しており、その流出開口を下方に設けている。そして、突起で塞がれた流出開口は、設置基台を回転させるだけでワンタッチで開けることができる。流出開口が開かれると、液体芳香剤は、上方に収容されているので、重力によって自動的に流出して、フェルト材に吸収される。かかる構成により、使用時に廃棄される中栓を不要とし、しかも、室内への設置をワンタッチで簡単に行なうことを実現している。
【００２０】
次に、図８以後を参照して、本発明の第２実施形態に係る芳香剤容器を説明する。図８は、第２実施形態に係る芳香剤容器を示す正面図である。この芳香剤容器は、図９の容器本体300、図11のフェルト保持部材400、図12の底部外殻500から構成されている。
【００２１】
容器本体300(図９、図10)
図９は、液体芳香剤を収容する容器本体300を示している。容器本体300は下方側の円筒壁301の外周面にリング状リブ301ａを有しており、円筒壁301の下端に蓋材60が外挿固定されている。図10は、蓋材60を固定した状態における、円筒壁301部分の縦断面図を示している(左側の壁部の図示は省略している)。蓋材60の外周壁65の内周面には、内側に向かって突出するリング状のリブ65ａが形成されており、このリブ65ａが容器本体側の円筒壁301に形成されたリブ301ａと係合することで、蓋材は、円筒壁301に対して外挿固定されている。
【００２２】
蓋材60の中央には開口61が形成されていて、これが、液体流出口として機能する。後述するように、フェルト保持部材400が閉位置にあるとき当該開口61は閉じられ、フェルト保持部材400が開位置にあるとき当該開口61が開かれる。
【００２３】
フェルト保持部材400(図11)
図11は、フェルト保持部材400の縦断面図を示している。フェルト保持部材400は、上方に向かってテーパ状に拡がる周壁401と、底壁402と、を備えている。底壁402の中央には上方に突出する円筒壁70が形成されており、この円筒壁70は、容器本体300とフェルト保持部材400とが連結されたとき、円筒壁301の外周側に沿って延在する(図13参照)。また、フェルト保持部材400は、円筒壁70の内側に、上記流出開口61の開閉を行なう突起74を有している。
【００２４】
円筒壁70の内側には、同心状に配置された２つの円筒部72および73が立設されている(図13参照)。大径の円筒部72の上端は開口している。小径の円筒部73の上端には、第１実施形態の場合と同様に(図６(ａ)参照)、４本のアーム73ａを備える十字部材を介して突起74が立設されている。十字部材の各アーム73ａの間には、流体連通口75が形成されている。
【００２５】
フェルト保持部材400は、浸透材としてのフェルト材を底部に保持する。すなわち、図８に示したように、フェルト材80は、脚部71によって底壁402の下方側に保持され、周壁401の内周面に沿って上方側へと延びている。フェルト材40の中央には、円筒の吸液芯81が立設されている。吸液芯81は、その先端が円筒部73の内周側空間79(図13参照)に挿入されていて、突起74の底面の位置にまで達している。
【００２６】
底部外殻500(図12)
図12は、芳香剤容器の底部外殻500を示す半断面図である。外殻500は、上部に向かってテーパ状に拡がるカップ状周壁501と脚部502とを備えており、芳香剤容器の設置基台として機能する部分である。すなわち、容器本体300の下方に取り付けられたフェルト保持部材400をさらに覆うようにして、底部外殻500は、容器本体300に固定される。
【００２７】
容器本体300とフェルト保持部材400との係合
容器本体300の円筒壁301に固定された蓋材61の中央には、下方に延びる円筒部62が形成されており、その外周面にはリング状のリブ62ａが間隔をおいて３つ形成されている。蓋材60の円筒部62は、フェルト保持部材400の同心状円筒部72および73の間に形成される環状スペース内に挿入され、これにより、容器本体300とフェルト保持部材400とが連結される。フェルト保持部材400の大径円筒部72の内周面には、その上端付近において、内側へと突出するリング状のリブ72ａが形成されており、このリブ72ａが容器本体300側のリブ62ａと係合することで、容器本体300とフェルト保持部材400とが連結される(図13参照)。
【００２８】
蓋材60およびフェルト保持部材400は、ともに可撓性のある弾性部材で構成されているので、フェルト保持部材400を容器本体300に向けて押圧したり、引っ張たりすることで、フェルト保持部材400を閉位置(図８)または開位置(図13)に位置させることができる。円筒部62に形成されたリング状リブのうち最下端にあるもの(62ａ')は、フェルト保持部材400の抜けを防止するために、やや突出量が大きく設定されている。
【００２９】
閉位置(図８)
図８は、フェルト保持部材400が閉位置にある状態を示している。閉位置においては、フェルト保持部材400側に設けた突起74が、容器本体300の底面に形成した流出開口61を塞いでいる。したがって、容器本体300内の液体芳香剤は、容器本体300内に閉じ込められたままであって、外部に流出することはできない。製造後の輸送時および店頭陳列時等、消費者が実際に芳香剤容器を使用する以前の段階では、フェルト保持部材400はこの閉位置で固定され、その上に底部外殻500が被せられている。
【００３０】
開位置(図13)
図13は、容器本体300とフェルト保持部材400との連結部を示す要部拡大断面図であって、フェルト保持部材400が開位置にある状態を示している。開位置においては、フェルト保持部材400に設けた突起74が容器本体300の流出開口61から外れており、重力によって、液体芳香剤が流出開口61から流出する。流出した液体芳香剤は、十字状部材のアーム73ａ間の開口75を通過して、吸液芯81を通過し、フェルト材80に吸収される。液体芳香剤は、フェルト材80から室内に発散することで芳香効果を提供する。
【００３１】
芳香剤容器を購入した消費者は、底部外殻500を一旦取り外した後、フェルト保持部材400を閉位置から開位置へと移動させて、その後再度、底部外殻500を容器本体300に取り付けて、芳香剤容器を室内に設置する。
【００３２】
以上に図示して説明した各実施形態においては、容器本体の底部流出開口から流出した液体芳香剤を、吸液芯を介してフェルト材(浸透材)に導く構成を採用しているが、吸液芯を省略して、流出した液体芳香剤を直接フェルト材に導くことも可能である。しかしながら、吸液芯を介して液体芳香剤をフェルト材に導くことで、吸液量のコントロール、液あふれの防止、温度変化による吸液量のバラツキ防止等のメリットが得られる。
【００３３】
また、浸透材に関してもフェルト材に限定されるものではない。吸液性があって、そこから芳香剤が発散できるようなものであれば、適当な材料を採用することが可能である。
【図面の簡単な説明】
【図１】  本発明の第１実施形態に係る芳香剤容器を、閉位置において示す説明図である。
【図２】  図１の芳香剤容器を、開位置において示す説明図である。
【図３】  図１の芳香剤容器の容器本体を説明する説明図である。
【図４】  図３の容器本体の底部を示す要部断面図である。
【図５】  図１の芳香剤容器の設置基台を構成するカップ状外殻を示す説明図である。
【図６】  図１の芳香剤容器の設置基台を構成するディスク状部材を示す説明図である。
【図７】  図６のディスク状部材の凹部を示す拡大断面図である。
【図８】  本発明の第２実施形態に係る芳香剤容器を示す正面図である。
【図９】  図８の芳香剤容器の容器本体を説明する説明図である。
【図１０】  図９の容器本体の底部を示す要部断面図である。
【図１１】  図８の芳香剤容器のフェルト保持部材を示す縦断面図である。
【図１２】  図８の芳香剤容器の底部外殻を示す半断面図である。
【図１３】  容器本体とフェルト保持部材との連結部を示す要部拡大図である。
【符号の説明】
10、60  蓋材
11、61  流出開口
20  ディスク状部材
24、74  突起
40、80  フェルト材
41、81  吸液芯
100、300  容器本体
200  設置台(浸透材保持部材)
400  フェルト保持部材
500  底部外殻
【図１】
0004689891.tif 000002
【図２】
0004689891.tif 000003
【図３】
0004689891.tif 000004
【図４】
0004689891.tif 000005
【図５】
0004689891.tif 000006
【図６】
0004689891.tif 000007
【図７】
0004689891.tif 000008
【図８】
0004689891.tif 000009
【図９】
0004689891.tif 000010
【図１０】
0004689891.tif 000011
【図１１】
0004689891.tif 000012
【図１２】
0004689891.tif 000013
【図１３】
0004689891.tif 000014